(57)【要約】【目的】金属材料よりなる第２部材と合成樹脂材料よりなる第１部材とをそれぞれ対向する平坦面にて流路接続するとともに締結し、製造コストが安価で軽量化された２部材の取付け装置を提供する。【構成】第１部材は合成樹脂材料で形成され上側端面１Ａに向けて第１流路１Ｂが開口するとともに金属材料にて形成されメネジ孔２Ａが穿設されたメネジ部材２が固定配置される。第２部材２０は金属材料にて形成され下側平坦面２０Ａに向けて第２流路２０Ｂが開口する。アダプター３は薄板金属材料にて形成され、鍔部３Ａと下方に向かう筒部３Ｂを備える。第１部材１の上側平坦面１Ａに鍔部３Ａが配置され、筒部３Ｂが第１流路１Ｂ内に挿入配置され、更に鍔部３Ａ上に第２部材２０の下側平坦面２０Ａが配置され、この状態で、鍔部３ＡをボルトＢによって第２部材２０を介してメネジ部材２の上端２Ｂに螺着する。一方筒部３Ｂと第１流路１Ｂとの間に第１シール部材４が押圧配置され、第２部材２０の下側平坦面２０Ａと鍔部３Ａとの間に第２シール部材２１が押圧配置される。【選択図】    図１
2004218730.tif 000002
【特許請求の範囲】
【請求項１】
合成樹脂材料で形成され、上側平坦面１Ａに向けて第１流路１Ｂが開口するとともに金属材料によって形成され、メネジ孔２Ａが穿設されたメネジ部材２が前記上側平坦面上に向けて固定配置された第１部材１と；
金属材料で形成され、下側平坦面２０Ａに向けて第２流路２０Ｂが開口する第２部材２０と；
金属材料で形成され、第１部材１の上側平坦面１Ａと第２部材２０の下側平坦面２０Ａとの間に配置される平板状をなす鍔部３Ａと、
鍔部３Ａより下方に向かって突出して形成され、第１部材１の第１流路１Ｂ内に挿入配置される筒部３Ｂと、により形成されるアダプター３と；を備え、
第１部材１の上側平坦面１Ａと第２部材２０の下側平坦面２０Ａとの間にアダプター３の鍔部３Ａが配置されるとともに筒部３Ｂが第１部材１の第１流路１Ｂ内に挿入配置され、
アダプター３の鍔部３Ａを、第２部材２０よりメネジ部材２のメネジ孔２Ａに向けて螺着配置されるボルトＢによって、メネジ部材２の上端２Ｂと第２部材２０の下側平坦面２０Ａとにより挟持し、
第１部材１の第１流路１Ｂと第２部材２０の第２流路２０Ｂとをアダプター３の筒部３Ｂの内方をもって連絡するとともに第１部材１の第１流路１Ｂと筒部３Ｂの外周との間に第１シール部材４を押圧配置し、第２部材２０の下側平坦面２０Ａと鍔部３Ａとの間に第２シール部材２１を押圧配置したことを特徴とする２部材の取付け装置。
【発明の詳細な説明】
【０００１】
【産業上の利用分野】
本発明は、第１部材に形成される平坦面と第２部材に形成される平坦面とをボルトによって螺着する２部材の取付け装置に関し、そのうち特に第１部材の平坦面に開口する第１流路と、第２部材の平坦面に開口する第２流路とを流路接続する２部材の取付け装置に関する。
【０００２】
【従来の技術】
従来の２部材の取付け装置は図４に示される。
１０は接続される一方の部材である第１部材であってアルミニウム等の金属材料で形成される。
第１部材１０はその上方に上側平坦面１０Ａが形成され、第１部材１０の内方から上側平坦面１０Ａに向けて第１流路１０Ｂが開口して形成される。
又、第１流路１０Ｂの側方の上側平坦面１０Ａにはメネジ孔１０Ｃが穿設されるもので、より具体的にこのメネジ孔１０Ｃは上側平坦面１０Ａを含む鍔部１０Ｄに複数穿設される。
２０は接続される他方の部材である第２部材であって同様にアルミニウム等の金属材料にて形成される。
第２部材２０は、その下方に下側平坦面２０Ａが形成され、第２部材２０の内方から下側平坦面２０Ａに向けて第２流路２０Ｂが開口して形成される。
又、第２流路２０Ｂの側方の下側平坦面２０Ａにはメネジ孔１０Ｃに対応する貫通孔２０Ｃが穿設されるもので、この貫通孔２０Ｃは、下側平坦面２０Ａを含む鍔部２０Ｄに複数穿設される。
更に下側平坦面２０Ａに開口する第２流路２０Ｂを囲繞してＯリング溝２０Ｅが穿設され、該Ｏリング溝内にＯリング２１が配置される。
そして、第１部材１０と第２部材２０とは以下によって接続される。
すなわち、第１部材１０の上側平坦面１０Ａ上に第２部材２０の下側平坦面２０Ａを当接配置し、かかる状態においてボルトＢを貫通孔２０Ｃを介してメネジ孔１０Ｃに向けて螺着する。
以上によると第１部材１０と第２部材２０とがそれぞれの平坦面１０Ａ，２０Ａをもって螺着締結されるもので、このとき上側平坦面１０Ａに開口する第１流路１０Ｂと下側平坦面２０Ａに開口する第２流路２０Ｂとが前記当接面によって流路接続される。
かかる締結状態において、第１流路１０Ｂ、第２流路２０Ｂから上側平坦面１０Ａ、下側平坦面２０Ａの当接面を介して外方に向かって漏洩せんとする前記流路内の流体は、第２部材２０のＯリング溝２０Ｅ内に配置されるＯリング２１が第１部材１０の上側平坦面１０Ａに押圧配置されることによって漏洩が抑止される。
【０００３】
【発明が解決しようとする課題】
ここで、かかる２部材の取付け装置において、製造コストの低減及び装置の軽量化が強く望まれるもので、この為に、第１に従来の部品を共用して使用すること。
第２に材料費の低減及び軽量化をめざして、部材を合成樹脂材料によって形成すること。
が行なわれる。
すなわち、第２部材２０を共用化をめざして流用して使用すること。
及び第１部材１０を合成樹脂材料によって形成すること。
が行なわれる。
このことは、図４の状態において、第１部材１０を合成樹脂材料によって形成したことに相当する。
すなわち、金属材料よりなる第２部材２０がボルトＢによって合成樹脂材料よりなる第１部材１０に締結されるもので、これによると、時間の経過とともにボルトＢによる締め付け力が低下し、（これは合成樹脂材料の耐クリープ性の低さによる）第１部材１０の上側平坦面１０Ａと第２部材２０の下側平坦面２０Ａとの面圧が低下してＯリング２１によるシート機能が低下し、第１流路１０Ｂ、第２流路２０Ｂ内の流体が前記上側平坦面と下側平坦面２０Ａとの当接面より外部に向かって漏洩するという不具合が生ずる。
【０００４】
本発明になる２部材の取付け装置は前記不具合に鑑み成されたもので、従来使用される金属材料よりなる第２部材と、合成樹脂材料よりなる第１部材とをそれぞれの平坦面によって流路接続するとともに締結し、もって製造コストの低減と重量の軽減を達成できる前記装置を提供することを目的とする。
【０００５】
【課題を達成する為の手段】
本発明になる２部材の取付け装置は、前記目的達成の為に、合成樹脂材料で形成され、上側平坦面に向けて第１流路が開口するとともに金属材料によって形成され、メネジ孔が穿設されたメネジ部材が前記上側平坦面上に向けて固定配置された第１部材と；
金属材料で形成され、下側平坦面に向けて第２流路が開口する第２部材と；
金属材料で形成され、第１部材の上側平坦面と第２部材の下側平坦面との間に配置される平板状をなす鍔部と、
鍔部より下方に向かって突出して形成され、第１部材の第１流路内に挿入配置される筒部と、により形成されるアダプターと；を備え、
第１部材の上側平坦面と第２部材の下側平坦面との間にアダプターの鍔部が配置されるとともに筒部が第１部材の第１流路内に挿入配置され、
アダプターの鍔部を、第２部材よりメネジ部材のメネジ孔に向けて螺着配置されるボルトによって、メネジ部材の上端と第２部材の下側平坦面とにより挟持し、第１部材の第１流路と第２部材の第２流路とをアダプターの筒部の内方をもって連絡するとともに第１部材の第１流路と筒部の外周との間に第１シール部材を押圧配置し、第２部材の下側平坦面と鍔部との間に第２シール部材を押圧配置したことを特徴とする。
【０００６】
【作用】
アダプターの鍔部は、第１部材に固定配置されたメネジ部材の端部と金属材料よりなる第２部材とによって挟持され、ボルトが第２部材、アダプターを介してメネジ部材のメネジ孔に螺着され、これによって第２部材が第１部材に締結される。
第１部材の第１流路内の流体は、アダプターの筒部を第１流路との間に配置される第１シール部材によって気密保持されるもので第１部材の上側平端面と鍔部の下面との間の洩れが抑止される。
一方、ボルトは、メネジ部材のメネジ孔に螺着され、金属材料よりなるメネジ部材の端部に、金属材料よりなるアダプターの鍔部及び金属材料よりなる第２部材を押圧保持するので長期間に渡って安定した締め付け力を維持することができ、第２シール部材を適正な押圧力をもって鍔部の上面に押圧でき、これによって第２部材の下側端面と鍔部の上面との間の洩れを抑止できる。
【０００７】
【実施例】
以下、本発明になる２部材の取付け装置の一実施例について図により説明する。
図１は２部材が締結された状態を示す縦断面図。
図２はアダプターの上部平面図。
図３は図２のＡ−Ａ線における縦断面図。である。
第２部材は金属材料によって形成され図４に示された第２部材２０と同一をなすもので、説明を省略する。
（第２部材２０に関する符号は従来のものを使用するが、Ｏリング２１は第２シール部材２１と読みかえる。尚、この第２シール部材２１はＯリング、角リング等、弾性材料によって形成され環状をなすものであればよい）
１は合成樹脂材料によって形成される第１部材であり、上側平坦面１Ａに向かって第１流路１Ｂが開口する。（この第１流路１Ｂは第２部材２０の第２流路２０Ｂに臨む）
２は筒状をなし、内部をメネジ孔２Ａが貫通して穿設された金属材料よりなるメネジ部材であり、このメネジ部材２は第１部材１を射出成形する際、同時にインサート成形され、これによってメネジ部材２が第１部材１に固定配置される。
このメネジ部材２の上端２Ｂは第１部材１の上側平坦面１Ａと同一高さに配置されるか、好ましくはわずかに（例えば０．５ミリメートル）上方へ突出する。
又、メネジ部材２のメネジ孔２Ａは、第２部材２０の貫通孔２０Ｃに対応して配置されるとともに貫通孔２０Ｃの長手軸心方向に沿って配置される。本例において貫通孔２０Ｃ、メネジ部材２は２個設けられる。
尚、メネジ部材２の第１部材１への固定方法は前記に限定されるものでなく、接着、熱溶着、カシメ等の手段を用いてもよい。
【０００８】
次に図２、図３を用いてアダプターについて説明する。
アダプター３は薄板金属材料によって形成されるもので、板状をなす鍔部３Ａと、鍔部３Ａの略中央部から下方に向かって突出する筒部３Ｂとによって形成され、筒部３Ｂの下方外周には環状をなすＯリング溝３Ｃが凹設される。尚、３Ｄは、第１部材１に固定配置されたメネジ部材２のメネジ孔２Ａに臨んで形成される２個の貫通孔である。このアダプター３は例えば０．５ミリメートル〜０．８ミリメートル程度の薄板金属材料を絞り加工によって形成できる。
【０００９】
次に第１部材１と第２部材２との締結について説明する。
第１に、第１部材１の上側平坦面１Ａ上にアダプター３の鍔部３Ａが配置され、筒部３Ｂが第１部材１の第１流路１Ｂ内に挿入配置される。
かかる状態で、鍔部３Ａの貫通孔３Ｄはメネジ部材２のメネジ孔２Ａに臨んで配置され、メネジ部材２の上端２Ｂは鍔部３Ａの下面に当接配置され、さらに筒部３ＢのＯリング溝３Ｃ内にはＯリング等の第１シール部材４が配置される。
第２に、アダプター３の鍔部３Ａの上面に向けて第２部材２０の下側平坦面２０Ａが配置される。
かかる状態で、第２部材２０の貫通孔２０Ｃはアダプター３の貫通孔３Ｄに臨んで配置されるとともに第２流路２０Ｂはアダプター３の筒部３Ｂの内方に臨んで配置され、Ｏリング溝２０Ｅ内に配置される第２シール部材２１はアダプター３の鍔部３Ａの上面に配置される。
そして、第２部材２０の貫通孔２０Ｃ、アダプター３の貫通孔３Ｄを介してボルトＢをメネジ部材２のメネジ孔２Ａ内に螺着し、これによって第２部材２０を第１部材１に締結できたもので、アダプター３の鍔部３Ａは、第２部材２０の下側平坦面２０Ａと、第１部材１の上側平坦面１Ａとによって挟持される。
【００１０】
以上によると、金属材料よりなる第２部材２０の下側平坦面２０Ａは、第１部材１に固定された金属材料よりなるメネジ部材２の上端２Ｂに金属材料よりなるアダプター３の鍔部３Ａを介してボルトＢによって螺着され、そのボルトＢの締付け方向において合成樹脂材料が介在することなく、全て金属材料にて形成されるので、長期間に渡ってボルトＢの締め付け力を安定的に保持できる。
従って、第２シール部材２１は安定した押圧力をもってＯリング溝２０Ｅ内に配置されるとともに安定した押圧力をもって鍔部３Ａの上面を押圧保持できるので、第１流路１Ｂ、第２流路２０Ｂ内の流体が第２部材２０の下側平坦面２０Ａと鍔部３Ａの上面との間から外部に向けて漏洩することがない。
又、アダプター３の筒部３Ｂの外周部と第１部材１の第１流路１Ｂの内周部との間には第１シール部材４が押圧配置されるもので、これによると、第１流路１Ｂ、第２流路２０Ｂ内の流体が第１部材１の上側平坦面１Ａと鍔部３Ａの下面との間から外部に向けて漏洩することがない。
以上の如く、第１部材１と第２部材２０との締結後において、両部材１，２０の内方に形成される流路１Ｂ，２０Ｂと外部との洩れを長期間に渡って完全に抑止できる。
【００１１】
又、本発明によると、第２部材２０は、従来用いられる金属材料よりなる第２部材２０をそのまま使用することができ、部品の共用化を図ることができるので製造コストの低減を達成できる。
又、本発明によれば、第１部材１にメネジ部材２を固定配置したこと及び薄板金属材料によって形成されるアダプター３を用いたこと、によって第１部材１を合成樹脂材料によって形成することができ、これによると従来の金属材料を用いた第１部材１に比較して大幅な重量の軽減を達成できた。
尚、メネジ部材２及びアダプター３は金属材料によって形成されるものであるがメネジ部材２が薄肉中空形状であること及びアダプター３が薄板材で形成されることから重量の増加はわずかなものであり、前記重量軽減効果を阻害するに至らない。
更に、第１部材１を合成樹脂材料によって形成したことによると、第１部材１がアルミニウム等の金属材料によって形成されるものに比較し、その材料費を大きく低減できるもので、このとことも製造コストの低減する上で効果的である。
尚、本実施例における第１部材１は内燃機関の燃料噴射装置に用いられる。
燃料噴射弁を支持する燃料分配管（デリバリーパイプ）に用いるのに好適であり、第２部材２０は、燃料分配管内を流れる燃料圧力を調圧する圧力制御弁（プレッシャーレギュレター）に用いるのが好適である。
【００１２】
【発明の効果】
以上の如く、本発明の２部材の取付け装置によると、合成樹脂材料によって形成され、上側平坦面に向かって開口する第２流路及びメネジ孔が穿設されたメネジ部材が上側平坦面に向けて固定配置された第１部材と、薄板金属材料によって形成され、平板状の鍔部と鍔部から下方に向かって筒部が連設されたアダプターと、金属材料によって形成され、下側平坦面に向かって開口する第１流路を有する第２部材と、を備え、第１部材の上側平坦面上にアダプターの鍔部が配置されるとともに第１部材の第１流路内にアダプターの筒部が挿入配置され、更に鍔部の上面に第２部材の下側平坦面が配置され、ボルトを第２部材を介してメネジ部材のメネジ孔に螺着することによってメネジ部材の上端に、アダプターの鍔部、第２部材を螺着締結したので合成樹脂材料を用いた第１部材に対して金属材料よりなる第２部材を長期間に渡って安定した締付け力をもって締結できる。
而してアダプターの筒部と第１部材の第１流路との間に配置した第１シール部材により、内部の流体の外部洩れを完全に抑止でき、又鍔部と第２部材の下側平坦面との間に配置した第２シール部材により流体の外部洩れを完全に抑止できる。又、前記によると、第２部材は従来用いられる金属材料よりなる第２部材をそのまま流用でき、一方第１部材を合成樹脂材料によって形成できる。
これによると部品の共用化及び材料費の低減を達成でき、製品の製造コストの低減を達成できる。
更に第１部材を合成樹脂材料によって形成したことは製品の重量軽減に効果的であり、特に内燃機関に用いられる燃料供給装置において有効である。
【図面の簡単な説明】
【図１】本発明になる２部材の取付け装置の一実施例を示す縦断面図。
【図２】図１に用いられるアダプターの上部平面図。
【図３】図２のＡ−Ａ線における縦断面図。
【図４】従来の２部材の取付け装置を示す縦断面図。
【符号の説明】
１      第１部材
１Ａ    上側平坦面
１Ｂ    第１流路
２      メネジ部材
２Ａ    メネジ孔
３      アダプター
３Ａ    鍔部
３Ｂ    筒部
４      第１シール部材
２０    第２部材
２０Ａ  下側平坦面
２０Ｂ  第２流路
２１    第２シール部材
【図１】
2004218730.tif 000003
【図２】
2004218730.tif 000004
【図３】
2004218730.tif 000005
【図４】
2004218730.tif 000006